(57)【要約】【課題】フィルター交換時のフィルタの脱落を防止したフィルター装置を提供する。【解決手段】フィルター２を保持するためのフィルターケース１０と、フィルターケース１０を筐体パネル１０４に取り付けるためのフィルターケース取付手段５０と、を有するフィルター装置１において、フィルターケース取付手段５０は、フィルター２を取り出すためにフィルターケース１０から上蓋３０を取り外した時には、フィルターケース１０を傾斜状態に維持し、フィルター設置面１８がフィルター２を重力方向下方向より担持するようにする。【選択図】図６
2006337209.tif 000002
【特許請求の範囲】
【請求項１】
フィルターを保持するためのフィルターケースと、前記フィルターケースを筐体に取り付けるためのフィルターケース取付手段と、を有するフィルター装置において、
前記フィルターケースは、内部にフィルターを着脱自在に保持するために前記フィルターを所定設置面に保持する中蓋と、前記中蓋を押圧して、前記フィルターを前記フィルターケース内に保持する上蓋と、を備え、
前記フィルターケース取付手段は、前記フィルターを取り出すために前記フィルターケースから上蓋を取り外した時には、前記フィルターケースを傾斜状態に維持し、前記フィルター設置面が前記フィルターを重力方向下方向より担持するようにしたことを特徴とするフィルター装置。
【請求項２】
前記フィルターケースは、少なくとも前記フィルターの着脱のための開口端部が筐体に形成した取付穴より外方へと突出しており、
前記フィルターケースの前記開口端部の外周部にはネジ部が形成され、該ネジ部に前記上蓋が螺合可能とされ、
前記開口端部に螺合された前記上蓋は、前記取付穴より前記筐体内へと嵌入できない外形状とされ、
前記フィルターケース取付手段は、前記フィルターケースの前記開口端部とは反対側の端部に取り付けられたフィルターケース取付板を備えており、
前記フィルターケース取付板は、前記フィルターケースの水平方向両側に位置した両支持側板と、前記フィルターケースの上側に位置した支持上板とを備えており、
前記フィルターケースは、前記フィルターケース取付板の前記両支持側板と前記支持上板に形成された取付穴に遊嵌された保持軸部材により前記筐体に対して可動に取り付けられ、
前記フィルターケース取付板は、付勢手段により前記筐体に対して離間する方向に付勢されており、前記付勢手段による移動距離は、前記支持上板が前記両支持側板より大とされ、
前記上蓋を前記フィルターケースに取り付けることにより、前記フィルターケースを前記付勢手段の付勢力に抗して前記筐体側へと移動させて固定し、
前記上蓋を前記フィルターケースから取り外すことにより、前記フィルターケース取付板は、前記付勢手段により、前記両支持側板を支点として前記フィルターケース取付板が前記筐体から離間する方向へと揺動し、前記フィルターケースを傾斜状態に移動させる、
ことを特徴とする請求項１のフィルター装置。
【請求項３】
前記付勢手段は、前記フィルターケース取付板の前記両支持側板及び前記支持上板と、前記筐体との間に設けられたバネ部材であり、前記保持軸部材を囲包して配置されていることを特徴とする請求項２のフィルター装置。
【請求項４】
前記フィルターケースは、概略円筒形状とされ、前記フィルターケースに前記上蓋が取り付けられた状態では、前記中心軸線は、水平状態に維持され、前記フィルター設置面は、略垂直状態とされ、
前記フィルターケースから前記上蓋が取り外された状態では、前記中心軸線は、水平状態から傾斜した状態へと移動し、前記フィルター設置面は、前記フィルターを重力方向下方向より担持するように傾斜した状態に移動されることを特徴とする請求項１〜３のいずれかの項に記載のフィルター装置。
【請求項５】
前記フィルター設置面は、フィルターケースに形成されることを特徴とする請求項１〜４のいずれかの項に記載のフィルター装置。
【請求項６】
前記中蓋は、前記フィルターケースに着脱自在に取り付けられる第１及び第２の中蓋にて構成され、前記フィルター設置面は、前記第１の中蓋に形成され、前記フィルターは、前記第２の中蓋を前記第１の中蓋の方へと押圧することにより保持されることを特徴とする請求項１〜４のいずれかの項に記載のフィルター装置。
【発明の詳細な説明】
【技術分野】
【０００１】
本発明は、例えば環境分析計において、空気を吸引することによって大気中の種々の物質をフィルターにて捕集するためのフィルター装置に関するものである。
【背景技術】
【０００２】
従来、例えば大気中のオゾン測定装置などの環境分析計においては、吸引によって空気を通過させ、空気中に含まれるオゾン、その他の物質をフィルターにて捕集するためのフィルター装置が設けられている。
【０００３】
通常、フィルター装置は、計器の内部に取り付けられている。従って、フィルター装置に取り付けられているフィルターを交換するためには、先ず、計器の扉を開け、その後にフィルター装置にアクセスする操作が必要となる。フィルターの交換頻度が多い場合には、扉の開閉は煩雑である。
【０００４】
そこで、フィルターの交換頻度が多い場合や、計器の使用環境によっては、フィルター装置は、計器本体の外部に設ける場合もある。
【０００５】
しかしながら、上記いずれの場合においても、フィルター装置にてフィルターを保持しているフィルター設置面が垂直状態とされている場合には、フィルター交換時に、フィルターがフィルターケースから脱落する虞がある。
【０００６】
従来、フィルターをフィルターケースに着脱するに際しては、フィルターケースからフィルターが脱落しないようにするために、多くの注意を払う必要があり、作業に手間がかかったり、多くの時間を費やすことがあった。
【０００７】
特許文献１は、集塵器本体に対して垂直状態から４０〜８０°傾斜して全開状態となる扉を設け、この扉にバネを介して可動ブロックを取り付け、この可動ブロックに対して着脱自在とされる濾紙ホルダを備えた集塵器を記載している。この集塵器では、濾紙を交換する時は、押しボタンを操作し、且つ手動により扉を可動ブロックと共に４０〜８０°傾斜して全開状態とした後、濾紙ホルダーを取り出して、濾紙の交換を行う。
【０００８】
この特許文献１に記載の集塵器によれば、濾紙の交換時に濾紙を脱落することはないと思われるが、濾紙を交換するためには、押しボタンを操作し、且つ手動により扉を可動ブロックと共に４０〜８０°傾斜して全開状態とし、更に、濾紙ホルダーを可動ブロックから取り出す操作が必要である。又、集塵器の構成は極めて複雑である。
【特許文献１】特許第３５１４９２１号
【発明の開示】
【発明が解決しようとする課題】
【０００９】
そこで、本発明の目的は、フィルター交換時のフィルタの脱落を防止したフィルター装置を提供することである。
【００１０】
本発明の他の目的は、構成が簡単で、且つ、フィルター交換のための操作が容易であるフィルター装置を提供することである。
【課題を解決するための手段】
【００１１】
上記目的は本発明に係るフィルター装置にて達成される。要約すれば、本発明は、フィルターを保持するためのフィルターケースと、前記フィルターケースを筐体に取り付けるためのフィルターケース取付手段と、を有するフィルター装置において、
前記フィルターケースは、内部にフィルターを着脱自在に保持するために前記フィルターを所定設置面に保持する中蓋と、前記中蓋を押圧して、前記フィルターを前記フィルターケース内に保持する上蓋と、を備え、
前記フィルターケース取付手段は、前記フィルターを取り出すために前記フィルターケースから上蓋を取り外した時には、前記フィルターケースを傾斜状態に維持し、前記フィルター設置面が前記フィルターを重力方向下方向より担持するようにしたことを特徴とするフィルター装置である。
【００１２】
本発明は、一実施態様によると、前記フィルターケースは、少なくとも前記フィルターの着脱のための開口端部が筐体に形成した取付穴より外方へと突出しており、
前記フィルターケースの前記開口端部の外周部にはネジ部が形成され、該ネジ部に前記上蓋が螺合可能とされ、
前記開口端部に螺合された前記上蓋は、前記取付穴より前記筐体内へと嵌入できない外形状とされ、
前記フィルターケース取付手段は、前記フィルターケースの前記開口端部とは反対側の端部に取り付けられたフィルターケース取付板を備えており、
前記フィルターケース取付板は、前記フィルターケースの水平方向両側に位置した両支持側板と、前記フィルターケースの上側に位置した支持上板とを備えており、
前記フィルターケースは、前記フィルターケース取付板の前記両支持側板と前記支持上板に形成された取付穴に遊嵌された保持軸部材により前記筐体に対して可動に取り付けられ、
前記フィルターケース取付板は、付勢手段により前記筐体に対して離間する方向に付勢されており、前記付勢手段による移動距離は、前記支持上板が前記両支持側板より大とされ、
前記上蓋を前記フィルターケースに取り付けることにより、前記フィルターケースを前記付勢手段の付勢力に抗して前記筐体側へと移動させて固定し、
前記上蓋を前記フィルターケースから取り外すことにより、前記フィルターケース取付板は、前記付勢手段により、前記両支持側板を支点として前記フィルターケース取付板が前記筐体から離間する方向へと揺動し、前記フィルターケースを傾斜状態に移動させる。
【００１３】
本発明は、他の実施態様によると、前記付勢手段は、前記フィルターケース取付板の前記両支持側板及び前記支持上板と、前記筐体との間に設けられたバネ部材であり、前記保持軸部材を囲包して配置されている。
【００１４】
本発明は、他の実施態様によると、前記フィルターケースは、概略円筒形状とされ、前記フィルターケースに前記上蓋が取り付けられた状態では、前記中心軸線は、水平状態に維持され、前記フィルター設置面は、略垂直状態とされ、
前記フィルターケースから前記上蓋が取り外された状態では、前記中心軸線は、水平状態から傾斜した状態へと移動し、前記フィルター設置面は、前記フィルターを重力方向下方向より担持するように傾斜した状態に移動される。
【００１５】
本発明は、他の実施態様によると、前記フィルター設置面は、フィルターケースに形成される。
【００１６】
本発明は、更に他の実施態様によると、前記中蓋は、前記フィルターケースに着脱自在に取り付けられる第１及び第２の中蓋にて構成され、前記フィルター設置面は、前記第１の中蓋に形成され、前記フィルターは、前記第２の中蓋を前記第１の中蓋の方へと押圧することにより保持される。
【発明の効果】
【００１７】
本発明のフィルター装置によれば、フィルター交換時のフィルタの脱落を防止することができる。又、本発明のフィルター装置は、構成が簡単で、且つ、フィルター交換のための操作が容易である。
【発明を実施するための最良の形態】
【００１８】
以下、本発明に係るフィルター装置を図面に則して更に詳しく説明する。
【００１９】
実施例１
図１に本発明に係るフィルター装置１が装着された環境分析計、例えば、大気中オゾン測定装置１００を示す。
【００２０】
大気中オゾン測定装置１００は、分析部１０１及び記録計１０２を備えており、本発明に係るフィルター装置１は、分析部１０１に取り付けられている。また、詳しくは後述するが、本実施例によると、フィルター装置１の上蓋３０が、フィルター装置１を取り付けるための筐体１０３より、即ち、計器１００の前面に設けた筐体パネル１０４より外面に露出している。従って、作業者は、従来のように、筐体１０３に設けられた扉の開閉動作を必要とせず、直接、筐体パネル１０４から露出している上蓋３０にアクセスし、この上蓋３０をフィルター装置１から取り外すことにより、フィルター装置１に設けられたフィルターの交換が可能とされる。
【００２１】
図２〜図７に、本発明に係るフィルター装置１の一実施例を示す。図２〜図７にて、説明の便宜上、図面にて右側を、装置の右側又は外側（外方）といい、図面にて左側を、装置の左側又は内側（内方）という。また、図面にて上側を、装置の上側又は上方といい、図面にて下側を、装置の下側又は下方という。
【００２２】
本実施例にて、フィルター装置１は、フィルター２を保持するためのフィルターケース１０と、フィルターケース１０の上蓋３０と、フィルターケース１０を計器の筐体１０３に取り付けるためのフィルターケース取付手段５０と、を有する。
【００２３】
（フィルターケース）
フィルターケース１０について説明する。
【００２４】
本実施例によると、筐体１０３の前面に設けられた筐体パネル１０４に内径（Ｄ０）とされるフィルターケース取付穴１０５が形成され、所定の軸線方向長さ（Ｌ）及び外径（Ｄ）とされる概略円筒形状のフィルターケース１０が、この取付穴１０５を軸線方向に貫通して配置されている。つまり、フィルターケース１０は、稼働時には、その中心軸線１１が略々水平となるような態様で取付穴１０５内に設置されており、フィルターケースの外径（Ｄ）と取付穴の内径（Ｄ０）との間には、間隙が形成されている。
【００２５】
又、概略円筒形状とされるフィルターケース１０の一端は、即ち、図２にて右側端１２は、筐体パネル１０４の外面１０４ａより外方へと、即ち、図２にて筐体パネル表面１０４ａより右側方向へと突出している。また、フィルターケース１０の他端は、即ち、図２にて左側端１３は、筐体パネル１０４の内面１０４ｂより内方へと、即ち、図２にて筐体パネル内面１０４ｂより左側方向へと突出している。フィルターケース１０は、限定されるものではないが、例えば樹脂などで作製される。
【００２６】
フィルターケース１０の外方へと突出した開口端部１２の外周部には、ネジ部（ネジ山）１４が形成され、上蓋３０が螺合可能とされる。開口端部１２に螺合された上蓋３０の外径（Ｄ１）は、取付穴１０５の内径（Ｄ０）より大とされ、取付穴１０５に嵌入することはできない。
【００２７】
上蓋３０がフィルターケース１０から取り外された状態を示す図７を参照すると分かり易いように、フィルターケース１０の開口端部１２の内周部には、開口端面１２ａから軸線方向内方へと、即ち、図７にて左側へと、順に、所定の軸線方向距離（Ｌ１）にわたって形成された中蓋案内穴１５と、中蓋案内穴１５より小径とされ、所定の軸線方向距離（Ｌ２）にわたって形成されたフィルター設置穴１６と、が設けられる。従って、中蓋案内穴１５とフィルター設置穴１６との間には環状の壁部１７が形成される。
【００２８】
また、フィルター設置穴１６から半径方向内方へと中心軸線１１に対して垂直方向に所定距離だけ延在して環状とされるフィルター設置面１８が形成される。
【００２９】
フィルター設置面１８の内径部からフィルターケース１０の他端１３へと、即ち、図７にて左側方向へと漏斗状に形成された壁部１９が設けられる。また、この漏斗状壁部１９の中心部には、中心に空気導出穴２０が形成された空気導出管状部２１が設けられる。
【００３０】
一方、本実施例では、フィルターケース１０の他端側１３の上部外周部には、フィルターケース１０の他端側１３から前記環状壁部１７へと延在して一体に空気導入管状部２２が形成される。この管状部２２には、中心に空気導入穴２３が形成され、又、環状壁部１７には、この空気導入穴２３に連通する連通孔２４が形成されている。
【００３１】
（上蓋及び中蓋）
図５〜図７を参照して上蓋３０及び中蓋４０について説明する。例えば、上蓋３０及び中蓋４０は、樹脂などにて作製することができる。
【００３２】
上蓋３０は、左側端３１が開口端とされ、右側端３２には壁３３が形成される。開口端３１の内周部には、上述したように、フィルターケース１０の開口端部ネジ部１４に螺合するためのネジ部（ネジ溝）３４が形成されている。
【００３３】
上蓋３０の右側端３２に形成される壁３３は閉鎖壁とすることもできるが、フィルターケース１０に取り付けられた時、フィルターケース内部のフィルター２の状態を観察するための観察窓を形成するのが好適である。従って、本実施例では、右側端３２に形成した壁３３の中央部に開口部３５を形成し、その内部に透明のガラス板３６が、例えば両面テープ３７にて接着固定される。
【００３４】
中蓋４０は、概略円筒形状とされ、フィルターケース１０の開口端部内周部に形成された中蓋案内穴１５に装着可能とされる。
【００３５】
中蓋４０の、左側端４１の環状端面４１ａは、中蓋４０をフィルターケース１０に装着した際には、フィルター２の外周部に当接し、フィルター２をフィルタ設置面１８に押し付け保持する押圧部として機能する。
【００３６】
一方、中蓋４０の右側端４２の外周部には、Ｏリング保持溝４３が形成される。本実施例にてＯリング溝４３は、中蓋４０の右側端面４１ｂから半径方向外方へと僅かに突出した第１の環状突起部４３ａと、この環状突起部４３ａから内方へと所定の距離離間した位置にて半径方向外方へと突出した第２の環状突起部４３ｂとにて形成される。このＯリング保持溝４３にＯリング４４が設けられる。
【００３７】
中蓋４０のＯリング保持溝４３と左側端面４１ａとの間に位置する円筒状壁部４１ｃには、半径方向に貫通した空気流通孔４５が円周方向に複数個、本実施例では直径方向に対向して２個形成される。
【００３８】
上記Ｏリング４４は、図５に図示するように、中蓋４０をフィルターケース１０に装着した際には、フィルターケース１０に上蓋３０を螺着することにより、上蓋３０のガラス板３６がＯリング４４に衝接し、中蓋４０を左側へと押圧する。これにより、中蓋４０の端面４１ａがフィルター２を設置面１８に押圧して保持すると共に、Ｏリング４４の外周囲がフィルターケース１０の開放端部内周部１５に弾性的に嵌合し、気密が保持される。
【００３９】
上述のようにして、中蓋４０が上蓋３０により押圧されて所定位置にセットされると、図５に示すように、中蓋４０の円筒状壁部４１ｃと、Ｏリング４４と、中蓋案内穴１５と、空気連通孔２４が形成された環状の壁部１７と、の間に環状の空間部２５が形成されることとなる。
【００４０】
従って、フィルター装置１０の空気導入穴２３に導入された空気は、環状壁部１７の連通孔２４を介して、環状空間部２５に導入され、次いで、中蓋４０の空気導入開口４５を通って、中蓋４０とフィルター２により形成される内部空間４６に流入する。
【００４１】
中蓋４０の右側端部４２とフィルターケース１０との間は、Ｏリング４４にて封止されている。そのために、内部空間４６に流入した空気は、フィルター設置面１８に設置されたフィルター２へと差し向けられる。フィルター２にてオゾン、その他の物質が濾過された空気は、漏斗状壁部１９にて空気導出穴２０へと案内され、フィルター装置１０から導出される。
【００４２】
上述したように、フィルター２の状態は、透明のガラス板３６が設けられた上蓋３０の観察窓３５から観察することができる。
【００４３】
（フィルターケースの取付手段）
次に、フィルターケース１０を筐体パネル１０４に対して傾動自在に取り付けるためのフィルターケース取付手段について説明する。
【００４４】
図２〜図４にて、フィルターケース１０の他端部１３は、本実施例では、筐体パネル１０４よりより内方へと、即ち、図２にて左側方向へと突出している。この突出した左側端１３は、フィルターケース１０の左側端１３に一体に形成した取付座部１３ｂ（図４）などを利用して止めネジ６０により、傾動取付手段５０を構成する、例えば金属製のフィルターケース取付板５１に一体に取り付けられている。
【００４５】
フィルターケース取付板５１は、本実施例では、図２〜図５に示すように、平板状の基板５２と、基板５２の両側に一体に形成され、且つ、基板５２の平面からは筐体パネル１０４より離れる方向へと段状に持ち上げられた支持側板５３と、更に、基板５２の上側に一体に形成され、基板５２の平面からは筐体パネル１０４より離れる方向へと段状に持ち上げられた支持上板５４とを有する。
【００４６】
基板５１は、フィルターケース１０の空気導出穴２０が形成された管状部２１、及び、空気導入穴２３が形成された管状部２２が貫通する穴５５、５６がそれぞれ形成されており、本実施例では、フィルターケース１０が基板５１に取り付けられた状態にて、両管状部２１、２２はそれぞれ、穴５５、５６から突出している。
【００４７】
一方、フィルターケース取付板５１の両支持側板５３には、貫通した穴５７が形成され、また、支持上板５４には、Ｕ字状の切り欠き部５８が形成されている。前記穴５７及び切り欠き部５８には、より小径の保持軸部材、例えば、ネジ軸６１ａを有した取付板保持用のネジ６１が挿入され、ネジ軸６１ａは、筐体パネル１０４に螺着される。
【００４８】
また、本実施例によると、フィルターケース取付板５１の両支持側板５３及び支持上板５４と、筐体パネル１０４との間には、前記ネジ軸６１ａを囲包して圧縮ばね７０が配置される。従って、フィルターケース取付板５１は、筐体パネル１０４から離れる方向に、即ち、図２にて左側方向へと付勢される。従って、フィルターケース１０も又、取付穴１０５内を、軸線方向左側方向へと付勢される。勿論、フィルターケース取付板５１を筐体パネル１０４から離れる方向に付勢し得るものであれば、圧縮バネ７０の代わりに、他の弾性体、例えば、ゴム、スポンジなどを使用することもできる。
【００４９】
一方、本実施例では、フィルターケース１０の開口端部１２に上蓋３０が螺着された状態では、図２に示すように、上蓋３０の内側端面３１ａが筐体パネル１０４の外面１０４ａに衝接するので、それ以上の左側方向への移動は阻止される。即ち、フィルターケース１０は、その中心軸線１１が略水平状態に維持されている。
【００５０】
この状態にて、両支持側板５３と保持用ネジ６１のネジ頭６１ｂとの間、及び支持上板５４と保持ネジ６１のネジ頭６１ｂとの間には、それぞれ空隙Ｇ１及びＧ２（但し、Ｇ１＞Ｇ２）、が形成されるようにする。通常、Ｇ１は０．１〜３０ｍｍ、Ｇ２は０．１〜５ｍｍとされ、本実施例では、Ｇ１は４ｍｍ、Ｇ２は１ｍｍとした。
【００５１】
図６は、上蓋３０をフィルターケース１０から取り外した状態を示し、図７は、更に中蓋３０をフィルターケース１０から取り外した状態を示す。
【００５２】
図５〜図７を参照して、フィルター２のフィルターケース１０に対する着脱操作について説明する。
【００５３】
フィルター２を交換するためには、図５に示すように、上蓋３０がフィルターケース１０に取り付けられた状態において、フィルターケース１０から上蓋３０を取り外すことが必要となる。
【００５４】
そのために、先ず、上蓋３０は、フィルターケース１０に対して、取り外す方向へと回転し、上蓋３０をフィルターケース１０から取り外す。これにより、図６及び図７に示すように、フィルターケース取付板５１は、フィルターケース取付板５１と筐体パネル１０４との間に配置した取付板付勢手段であるバネ７０の付勢力により、筐体パネル１０４の裏面１０４ｂより離れる方向へと移動される。
【００５５】
このとき、フィルターケース取付板５１の両支持側板５３は、支持板５３とネジ頭６１ｂとの間の空隙Ｇ２が僅かしか設けられておらず、支持板５３はネジ頭６１ｂに直ちに当接し、それ以上の移動が阻止される。一方、フィルターケース取付板５１の支持上板５４は、支持板５４とネジ頭６１ｂとの間の空隙Ｇ２がより大きくされており、従って、両支持側板５３の移動が停止した後も更に筐体パネル１０４の裏面から離れる方向に移動する。つまり、フィルターケース取付板５１は、両支持側板５３とネジ頭６１ｂとの当接部を支点として、図６及び図７に示すように、反時計方向へと揺動される。そして、支持板５３はネジ頭６１ｂに直ちに当接し、それ以上の移動が阻止される。
【００５６】
これによって、図６及び図７に示すように、フィルターケース１０自体、その中心軸線１１が水平から右側が上方へと傾斜した状態となり、そのために、フィルター２は、図６にて垂直より角度（α）だけ、通常α＝０．５以上、例えば０．５〜５°だけ左側方向へと傾斜した状態に、即ち、フィルター２は、重力方向に対して設置面１８上に担持された状態で保持される。
【００５７】
垂直に対する傾斜角度（α）をα＝０．５〜５°とすることによって、中蓋４０をフィルターケース１０から図７に示すように取り外した場合においても、フィルター２がフィルターケース１０の設置面１８及び設置穴１６から脱落することが防止される。従って、作業者は、フィルター２をフィルターケース１０から極めて容易に取り出すことができる。
【００５８】
なお、フィルターケース１０の傾斜角度（α）は、本実施例においては、上述のように、α＝０．５〜５°という範囲とされたが、この範囲に限定されるものではない。フィルター装置１が取り付けられる筐体１０３の構造、フィルター装置１、フィルターケース１０、その他の構成部材の寸法、形状等を変えることによって、傾斜角度（α）を増やすことができ、例えば、α＝２５°とした場合においても、作業者は、フィルター２の脱落を防止してフィルターケース１０から容易に取り出すことができる。ただ、傾斜角度（α）が２５°を超えると、フィルターケース１０が筐体１０３から大きく突出するようになり、余分なスペースを取ったり、フィルターケース１０自体を破損する虞がある。また、フィルターケース１０及びその他の構成部材の加工に余分な工数がかかるようになってしまう。
【００５９】
一方、フィルター２をフィルターケース１０に取り付ける操作は、上述の逆の手順にて行われる。
【００６０】
つまり、フィルター２を、図７に示すように、フィルター設置穴１６を利用して、フィルターケース１０の設置面１８に装着する。フィルター設置面１８は、図７に示すように上向きに傾斜した状態に持維持されているために、フィルターを設置面においただけで安定して保持され、この状態でフィルター２が設置面１８及び設置穴１６から脱落する虞はない。
【００６１】
この状態で、図６に示すように、中蓋４０をフィルターケース１０に装着する。次いで、上蓋３０をフィルターケース１０の開放端部１２のネジ部１４に螺合する。これによって、フィルターケース取付板５１は、バネ７０の付勢力に抗して、筐体パネル１０４の裏面側１０４ｂへと接近するように移動する。上蓋３０をフィルターケース１０に完全に螺着させると、フィルターケース取付板５１は、図２及び図５に示すように、筐体パネル１０４の裏面１０４ｂに対してほぼ平行状態となり、又、フィルターケース１０の中心軸線１１は、図６及び図７の傾斜状態から水平状態となる。
【００６２】
次いで、空気を吸引してフィルター２に空気中のオゾン、及び、その他の物質を付着させる。
【００６３】
本実施例のフィルター装置１によると、フィルター交換時のフィルター２の脱落を防止することができる。又、本実施例のフィルター装置１は、上述のように、構成が簡単で、且つ、フィルター交換のための操作が容易である。
【００６４】
実施例２
図８及び図９に、本発明のフィルター装置１の他の実施例を示す。
【００６５】
本実施例において、フィルター装置１は、実施例１と同様に、フィルター２を保持するためのフィルターケース１０と、フィルターケース１０の上蓋３０と、フィルターケース１０を傾動自在に筐体パネル１０４に取り付けるためのフィルターケース取付手段５０と、を有する。
【００６６】
（フィルターケース）
フィルターケース１０について説明する。
【００６７】
実施例１と同様に、筐体パネル１０４には内径（Ｄ０）とされるフィルターケース取付穴１０５が形成され、所定の軸線方向長さ（Ｌ）及び外径（Ｄ）とされる概略円筒形状のフィルターケース１０が、この取付穴１０５を貫通して配置されている。つまり、フィルターケース１０は、その中心軸線１１が略々水平となるような態様で取付穴１０５内に設置されており、フィルターケース１０の外径（Ｄ）と取付穴１０５の内径（Ｄ０）との間には、間隙が形成されている。
【００６８】
又、概略円筒形状とされるフィルターケース１０の一端は、即ち、図８にて右側端１２は、筐体パネル１０４より外方へと、即ち、図８にて筐体パネル１０４より右側方向へと突出している。この突出した開口端部１２の外周部には、ネジ山１４が形成され、上蓋３０が螺合可能とされる。開口端部１２に螺合された上蓋３０の外径（Ｄ１）は、取付穴１０５の内径（Ｄ０）より大とされ、取付穴１０５に嵌入することはできない。
【００６９】
又、フィルターケース１０は、フィルターケース取付手段５０によって、筐体パネル１０４へと取り付けられる。本実施例におけるフィルターケース取付手段５０の構成は、実施例１と同様であるので、実施例１の説明を援用し、再度の説明は省略する。
【００７０】
ただ、本実施例では、フィルターケース１０、上蓋３０及び中蓋８０（８０Ａ、８０Ｂ）の構造が実施例１と大きく異なっており、この異なる構成部について次に説明する。
【００７１】
つまり、本実施例では、フィルターケース１０の開口端部内周部は、開口端面１２ａから軸線方向に内方へと、即ち、図７にて左側へと所定の軸線方向距離（Ｌ１）にわたって形成された中蓋案内穴１５とされる。
【００７２】
また、この中蓋案内穴１５には、フィルター２を挟持する態様で二つの中蓋８０、即ち、第１及び第２の中蓋８０Ａ、８０Ｂが装着される。本実施例にて、第１及び第２の中蓋８０Ａ、８０Ｂは、同じ形状とされ、フィルター２を中心として対称配置されている。
【００７３】
（上蓋及び中蓋）
先ず、図８にて、フィルター２の左側に配置された第１の中蓋８０Ａについて説明する。
【００７４】
第１の中蓋８０Ａは、フィルターケース１０の開口端部内周部の中蓋案内穴１５に嵌合される、所定の軸線方向距離（Ｌ２）にわたって形成された環状外周部８１と、この環状外周部８１から半径方向内方へと中心軸線１１に対して垂直方向に所定距離だけ延在して環状とされる面８２ａが形成される。この環状面８２ａは、後述するようにフィルターを担持するフィルター設置面として機能する。
【００７５】
フィルター設置面８２ａの内径部からフィルターケース１０の他端側１３へと、即ち、図８にて左側方向へと漏斗状に形成された壁部８３が設けられる。また、この漏斗状壁部８３の中心部には、中心に空気導出穴として機能する貫通穴８４Ａが形成された管状部８５が設けられる。この管状部８５は、フィルターケース取付板５１の基板５２に形成した穴５５を貫通して突出している。
【００７６】
図８にて右側の第２の中蓋８０Ｂについて説明する。上述のように、第２の中蓋８０Ｂは、上記第１の中蓋８０Ａと同様の構成とされる。ただ、フィルター２を中心として対称配置されている。
【００７７】
つまり、第２の中蓋８０Ｂは、第１の中蓋８０Ａと協働してフィルター２を挟持するように、第１の中蓋８０Ａ及びフィルター２の右側において、フィルターケース１０の開口端部内周部である中蓋案内穴１５に嵌合される。第２の中蓋８０Ｂも第１の中蓋８０Ａと同様に、所定の軸線方向距離（Ｌ２）にわたって形成された環状外周部８１と、この環状外周部８１から半径方向内方へと中心軸線１１に対して垂直方向に所定距離だけ延在して環状とされる面８２ｂが形成される。この環状面８２ｂは、フィルター２を第１の中蓋８０Ａの設置面８２ａへと押圧し、協働してフィルター２を保持する押圧面として機能する。
【００７８】
第２の中蓋８０Ｂは、フィルター押圧面８２ｂの内径部から上蓋３０の方向へと、即ち、図８にて右側方向へと漏斗状に形成された壁部８３が設けられる。また、この漏斗状壁部８３の中心部には、中心に空気導入穴として機能する貫通穴８４Ｂが形成された管状部８５が設けられる。この管状部８５は、上蓋３０の壁部開口３５を貫いている。本実施例では、実施例１と異なり、上蓋３０の壁部開口３５には、透明のガラス板３６は設けられていない。
【００７９】
従って、本実施例にて、フィルター装置１の空気導入穴８４Ｂに導入された空気は、直接、第１及び第２中蓋８０Ａ、８０Ｂにて挟持されたフィルター２へと差し向けられ、漏斗状壁部８３にて空気導出穴８４Ａへと案内され、フィルター装置１から導出される。
【００８０】
上蓋３０は、図８にて左側端が開口端３１とされ、内周部には、上述したように、フィルターケースの開口端部外周部に螺合するためのネジ部（ネジ溝）３４が形成されている。
【００８１】
（フィルターの交換）
フィルター２のフィルターケース１０に対する着脱操作について説明する。
【００８２】
フィルター２を交換するためには、図８に示すように、上蓋３０がフィルターケース１０に取り付けられた状態において、フィルターケース１０から上蓋３０を取り外すことが必要となる。
【００８３】
そのために、先ず、上蓋３０は、フィルターケース１０に対して、取り外す方向へと回転し、上蓋３０をフィルターケース１０から取り外す。
【００８４】
図９に、上蓋３０がフィルターケース１０から取り外された状態を示す。本実施例においても、フィルターケース１０は、実施例１と同様の構成及び機能を成す取付手段５０により筐体パネル１０４に対して傾動自在に取り付けられている。従って、上蓋３０をフィルターケース１０から取り外すと、図９に示すように、実施例１で説明したと同様の態様にて、フィルターケース取付板５１は、フィルターケース取付板５１と筐体パネル１０４との間に配置した取付板付勢手段であるバネ７０の付勢力により、筐体パネル１０４の裏面１０４ｂより離れる方向へと移動される。
【００８５】
つまり、実施例１にて図６及び図７に示したと同様に、本実施例においても、フィルターケース１０自体、その中心軸線１１が水平から右側が上方へと傾斜した状態となり、そのために、フィルター２は、垂直より角度（α）だけ、通常α＝０．５〜５°だけ左側方向へと傾斜した状態に、即ち、フィルター２は、重力方向に対して下方向に位置した第１中蓋８０Ａのフィルター設置面８２ａ上に担持された状態で保持される。
【００８６】
従って、この状態にて、第２の中蓋８０Ｂをフィルターケース１０から取り外した場合においても、フィルター２が第１の中蓋８０Ａに形成された設置面８２ａ及び中蓋案内穴１５から脱落することが防止される。作業者は、フィルター２をフィルターケース１０から極めて容易に取り出すことができる。
【００８７】
なお、本実施例において、フィルターケース１０の傾斜角度（α）は、前記実施例１と同様に、α＝０．５〜５°という範囲とされているが、この範囲に限定されるものではない。上述したように、フィルター装置１が取り付けられる筐体１０３の構造、フィルター装置１、フィルターケース１０、その他の構成部材の寸法、形状等を変えることによって、傾斜角度（α）を増やすことができ、例えば、α＝２５°とした場合においても、作業者は、フィルター２の脱落を防止してフィルターケース１０から容易に取り出すことができる。ただ、傾斜角度（α）が２５°を超えると、フィルターケース１０が筐体１０３から大きく突出するようになり、余分なスペースを取ったり、フィルターケース１０自体を破損する虞がある。また、フィルターケース１０及びその他の構成部材の加工に余分な工数がかかるようになってしまう。
【００８８】
一方、フィルター２をフィルターケース１０に取り付ける操作は、上述の逆の手順にて行われる。
【００８９】
つまり、上蓋３０が取り外され、上向きに傾斜した状態とされるフィルターケース１０に第１の中蓋８０Ａを装着する。その後、この第１の中蓋８０Ａのフィルター設置面８２ａに、フィルター２を、中蓋案内穴１５を利用して設置する。中蓋８０Ａの設置面８２ａは、上向きに傾斜した状態に維持されているために、フィルター２を設置面８２ａに置いただけで安定して保持され、この状態でフィルター２が設置面８２ａ及び中蓋案内穴１５から脱落する虞はない。
【００９０】
この状態で、更に、第２の中蓋８０Ｂをフィルターケース１０に装着する。これにより、フィルター２は、第２の中蓋８０Ｂの押圧面８２ｂにより第１の中蓋８０Ａのフィルター設置面８２ａへと押圧され、第１及び第２の中蓋８０Ａ、８０Ｂにより挟持される。
【００９１】
次いで、上蓋３０をフィルターケース１０の開放端部１２のネジ部１４に螺合する。これによって、フィルターケース取付板５１は、バネ７０の付勢力に抗して、筐体パネル１０４の裏面側１０４ｂへと接近するように移動する。上蓋３０をフィルターケース１０に完全に螺着させると、フィルターケース取付板５１は、図８に示すように、筐体パネル１０４の裏面１０４ｂに対してほぼ平行状態となり、又、フィルターケース１０の中心軸線１１は、傾斜状態から、図８に示す水平状態となる。
【００９２】
次いで、空気を吸引してフィルター２に空気中のオゾン、及び、その他の物質を付着させる。
【００９３】
本実施例のフィルター装置１によると、フィルター交換時のフィルター２の脱落を防止することができる。又、本実施例のフィルター装置１は、上述のように、構成が簡単で、且つ、フィルター交換のための操作が容易である。
【図面の簡単な説明】
【００９４】
【図１】本発明のフィルター装置を適用し得る大気中オゾン測定装置の外観図である。
【図２】本発明のフィルター装置の一実施例において、上蓋を閉めた状態を示す側面図である。
【図３】本発明のフィルター装置の一実施例において、上蓋を取り外し、フィルター装置が傾動した状態を示す上面図である。
【図４】本発明のフィルター装置の一実施例において、上蓋を取り外し、フィルター装置が傾動した状態を示す背面図である。
【図５】本発明のフィルター装置の一実施例において、上蓋を閉めた状態を示す断面図である。
【図６】本発明のフィルター装置の一実施例において、上蓋を取り外した状態を示す断面図である。
【図７】本発明のフィルター装置の一実施例において、上蓋及び中蓋を取り外した状態を示す断面図である。
【図８】本発明のフィルター装置の他の実施例において、上蓋を閉めた状態を示す断面図である。
【図９】本発明のフィルター装置の他の実施例において、上蓋を取り外した状態を示す断面図である。
【符号の説明】
【００９５】
１        フィルター装置
２        フィルター
１０      フィルターケース
１１      中心軸線
１２      開口端部
１４      ネジ山
１５      中蓋案内穴
１６      フィルター設置穴
１７      環状壁部
１８      フィルター設置面
２０、８４Ａ      空気導出穴
２３、８４Ｂ      空気導入穴
３０      上蓋
３４      ネジ溝
３５      観察窓
３６      透明ガラス板
４０      中蓋
４４      Ｏリング
５０      フィルターケース取付手段
５１      フィルターケース取付板
５２      基板
５３      支持側板
５４      支持上板
６１      ネジ（保持軸部材）
７０      バネ（付勢手段）
８０（８０Ａ、８０Ｂ）      中蓋
８２ａ                      フィルター設置面
１００                      環境分析計
１０３                      筐体
１０４                      筐体パネル
【図１】
2006337209.tif 000003
【図２】
2006337209.tif 000004
【図３】
2006337209.tif 000005
【図４】
2006337209.tif 000006
【図５】
2006337209.tif 000007
【図６】
2006337209.tif 000008
【図７】
2006337209.tif 000009
【図８】
2006337209.tif 000010
【図９】
2006337209.tif 000011